(57)【要約】      （修正有）【課題】小便器を取り外すことなく、排水トラップ部の下流側の排水路を簡単且つ確実に掃除することができ、排水路に尿石が付着して堆積することによる排水の詰まりを防ぐことができる小便器を提供する。【解決手段】小便器１は、ボウル部４の排水口８よりも下流側に封水を形成する排水トラップ１０と、排水トラップの後方側に形成され、排水トラップから排出された洗浄水を小便器外部へ排出させる排水室１８と、を有し、排水室は、排水トラップと小便器外部の排水配管１６とを接続する通路を形成する接続通路部と、ボウル部内の下方領域と排水室内とを区画するボウル側壁部と、を備え、ボウル側壁部には、ボウル面の下方領域と排水室とを連通し且つ着脱可能な蓋により閉塞される掃除口２６が形成され、掃除口の開口断面を中心軸線に沿って接続通路部に向けて投影した投影面が、接続通路部の底面に形成される。【選択図】図２
2015083770.tif 000002
【特許請求の範囲】
【請求項１】
排尿を受けて排出する小便器であって、
排尿を受けるボウル面を形成するボウル部と、
このボウル部の下方に形成され、上記ボウル部の底部に設けられた排水口よりも下流側に封水を形成する排水トラップ部と、
この排水トラップ部の後方側に形成され、上記ボウル面を洗浄して上記排水トラップ部から排出された洗浄水を小便器外部の排出部側へ排出させる排水室部と、を有し、
上記排水室部は、その一部が上記排水トラップ部と上記小便器外部の排出部とを接続する通路を形成する接続通路部と、上記ボウル部内の下方領域と上記排水室部内とを区画するボウル側壁部と、を備え、このボウル側壁部には、上記ボウル部内の下方領域と上記排水室部内とを連通し且つ着脱可能な蓋により閉塞される掃除口が形成され、この掃除口は、その開口断面を中心軸線に沿って上記接続通路部に向けて投影した投影面が、上記接続通路部の底面に形成されることを特徴とする小便器。
【請求項２】
上記掃除口は、上記蓋を取り外した状態で上記接続通路部内が目視可能である請求項１記載の小便器。
【請求項３】
上記排水トラップ部は、上記排水口から下方に延びる下降管路部と、この下降管路に接続されて上方に延びる上昇管路部と、を備え、上記接続通路部は、その前端が上記接続部で上記上昇管路部に接続されると共に、その後端が上記小便器外部の排出部に接続されるように延びている請求項１又は２に記載の小便器。
【請求項４】
上記掃除口の中心は、上記排水トラップ部と上記接続通路部との接続部よりも後方側に位置する請求項１乃至３の何れか１項に記載の小便器。
【請求項５】
上記掃除口は、その開口断面を中心軸線に沿って上記接続通路部に向けて投影した投影面が、上記接続通路部の下流側端部に形成される請求項１乃至４の何れか１項に記載の小便器。
【請求項６】
上記掃除口の下端縁は、上記接続通路部と上記小便器外部の排出部との接続部の高さ方向の中心位置よりも上方に位置している請求項１乃至５の何れか１項に記載の小便器。
【請求項７】
上記掃除口の下端縁は、上記接続通路部の流路の高さ方向の中心位置よりも上方に位置している請求項１乃至６の何れか１項に記載の小便器。
【請求項８】
上記掃除口の下端縁は、洗浄時における上記接続通路部内の最高水位よりも上方に位置している請求項１乃至７の何れか１項に記載の小便器。
【請求項９】
更に、上記排水口、上記掃除口及びこの掃除口に取り付けられた上記蓋を覆うように上記ボウル部の下方領域に配置される目皿を有する請求項１乃至８の何れか１項に記載の小便器。
【発明の詳細な説明】
【技術分野】
【０００１】
本発明は、小便器に係り、特に、排尿を受けて排出する小便器に関する。
【背景技術】
【０００２】
通常、排尿を受けて排出する小便器には、洗浄水を供給してボウル面を洗浄する吐水部が設けられており、小便器の自動的に又は使用者による押ボタン等の手動操作により、吐水部からボウル面に洗浄水を供給してボウル面を洗浄するようになっている。
ここで、小便器のボウル面を洗浄した洗浄水は、ボウル面の下方に設けられた排水口から流出し、排水口の下流側に設けられた排水トラップの溜水部を経て、これより下流側の接続管路を流れた後、小便器の外部の排水管路へと流れ込み、外部に排出される。
また、通常の排水トラップは、小便器の下方に設けられて排水口から流出した洗浄水を下方へと導く下降管路と、これより下流側に設けられて洗浄水を上方へと導く上昇管路とを備えたほぼＵ字形状の配管からなる。また、小便器の外部の排水管路は、接続管路によって排水トラップと接続されており、排水トラップの上昇管路を経た洗浄水は、接続管路を介して排水管路に流れ込むようになっている。
【０００３】
このような小便器においては、使用する都度、または、制御装置が所定のタイミングでボウル面、および／または排水配管内部の洗浄を実施するために、ボウル面への給水による洗浄と排出動作が行われ、洗浄水がボウル面、排水トラップ、接続管路、及び排水管路を順次に流れ、小便器の清掃が行われるものの、小便器からの洗浄水の排水経路の構成上、従来は排水トラップ、接続管路、又は接続管路の下流側端部と小便器の外部の排水管路との接続部等に尿が微生物の働きで変質したことによる尿石が付着し、さらに堆積し易いという問題が生じていた。
【０００４】
このうち、排水トラップに付着した尿石については、掃除用のブラシを排水トラップに挿入して清掃する通常の清掃を行うことで、ある程度除去することができる。
しかしながら、排水トラップの後方側（下流側）に接続される接続管路や、この接続管路と小便器の外部の排水管路との接続部等に付着したり、さらに堆積した尿石については、これらの管路にブラシ等の掃除具を挿入して清掃するような通常の清掃が困難である部分でもあるため、付着した尿石が次第に成長して堆積量が増大し、最終的には、接続管路や排水管路を閉塞してしまう可能性があるという問題がある。
【０００５】
このような尿石の付着及び堆積する箇所は、上述したように掃除具を挿入して清掃するような通常の清掃が困難な箇所であり、このような尿石を取り除くためには所定期間ごとに一旦小便器を小便器の外部の排水管路から取り外した上で、尿石を薬剤で溶解させたり、尿石を摩滅させるための回転砥石状の工具を通したり、或いは高圧洗浄で除去処理したりすることが必要となる。
しかしながら、このような除去処理は、費用だけでなく、メンテナンス行為の期間はトイレを使用することができなくなるため、大掛かりな処理作業となり、簡単には行うことのできないという問題もある。
【０００６】
そこで、このような従来技術の問題を解決するために、尿石の付着・堆積を防ぐための様々な手段が研究されて提案されている。
例えば、特許文献１に記載されている従来の小便器では、排水トラップの下流側に小便器外部の排水配管の上流側が接続される排出路が設けられ、この排出路とボウル部の外部とを区画する壁部に洗浄水の供給口が設けられ、この供給口にボウル部の背面側の外部から供給管が接続されている。そして、この供給管内の洗浄水が、小便器のボウル面及び排水トラップを経由することなく、供給口から排出路内に直接的に供給されることにより、排水トラップの下流側の排出路内が洗浄されるようになっている。
また、特許文献２に記載されている従来の小便器では、排水トラップの流出部の上方に位置するボウル部の後方底面に、清掃用具が挿入可能な開口が形成され、この開口には短筒上のソケットが固着されており、このソケットに閉塞具が着脱可能に取り付けられている。この開口の開口断面を中心軸線に沿って排水トラップに向けて投影した投影面は、排水トラップの流出部の上部に形成されており、閉塞具を取り外すことにより、開口から清掃用具を挿入することができ、排水トラップの下流側の流出部付近を清掃することができるようになっている。
さらに、特許文献３に記載されている従来の小便器では、排水トラップの流出部の上方に位置するボウル部の後方底面に、洗浄水送水用高圧ホースが挿入可能な貫通穴が形成されている。この貫通穴の開口断面を中心軸線に沿って排水トラップに向けて投影した投影面は、排水トラップの流出部の上部に形成されており、洗浄水送水用高圧ホースを貫通穴に挿入し、洗浄水送水用高圧ホースの先端から高圧の洗浄水を噴射させることにより、小便器を取り外すことなく、小便器の後方側（下流側）の外部に接続される排水管を洗浄することができるようになっている。
【先行技術文献】
【特許文献】
【０００７】
【特許文献１】特開２００５−１８００６４号公報
【特許文献２】実開平６−６０６８４号公報
【特許文献３】実開平２−７８６８２号公報
【発明の概要】
【発明が解決しようとする課題】
【０００８】
しかしながら、上述した特許文献１に記載されている従来の小便器では、排水トラップの下流側と小便器外部の排水配管の上流側とを接続する接続管路に供給口とこの供給口に洗浄水を直接的に供給するための供給管を設けなければならないため、供給管が増える分だけ、小便器の配管構造が複雑になるという問題がある。
また、特許文献２に記載されている従来の小便器では、清掃用具が挿入可能な開口の開口断面を中心軸線に沿って排水トラップに向けて投影した投影面が排水トラップの流出部の上部に形成されているため、排水トラップの流出部は清掃しやすいが、この流出部から下流側（後方側）にほぼ水平に延びる排水路やこの排水路に接続される小便器外部の排水配管においては、尿石が付着して堆積しやすく、排水が詰まりやすいという問題ある。
さらに、特許文献３に記載されている従来の小便器では、ボウル部の後方底面の貫通穴の開口断面を中心軸線に沿って排水トラップに向けて投影した投影面が排水トラップの流出部の上部に形成されているため、ボウル部の後方底面の貫通穴に洗浄水送水用高圧ホースを挿入して小便器の後方側（下流側）の外部に接続される排水管へと洗浄水送水用高圧ホースを向かわせにくいという問題がある。
【０００９】
そこで、本発明は、上述した従来技術の問題を解決するためになされたものであり、小便器を取り外すことなく、排水トラップ部の下流側の排水路を簡単且つ確実に掃除することができ、排水路に尿石が付着して堆積することによる排水の詰まりを防ぐことができる小便器を提供することを目的としている。
【課題を解決するための手段】
【００１０】
上記の目的を達成するために、本発明は、排尿を受けて排出する小便器であって、排尿を受けるボウル面を形成するボウル部と、このボウル部の下方に形成され、上記ボウル部の底部に設けられた排水口よりも下流側に封水を形成する排水トラップ部と、この排水トラップ部の後方側に形成され、上記ボウル面を洗浄して上記排水トラップ部から排出された洗浄水を小便器外部の排出部側へ排出させる排水室部と、を有し、上記排水室部は、その一部が上記排水トラップ部と上記小便器外部の排出部とを接続する通路を形成する接続通路部と、上記ボウル部内の下方領域と上記排水室部内とを区画するボウル側壁部と、を備え、このボウル側壁部には、上記ボウル部内の下方領域と上記排水室部内とを連通し且つ着脱可能な蓋により閉塞される掃除口が形成され、この掃除口は、その開口断面を中心軸線に沿って上記接続通路部に向けて投影した投影面が、上記接続通路部の底面に形成されることを特徴としている。
このように構成された発明においては、掃除口の開口断面を中心軸線に沿って接続通路部に向けて投影した投影面が、接続通路部の下流側端部に形成されるため、小便器を清掃する際に、小便器外部の排出部に対して小便器全体を取り外すことなく、排水トラップ部の後方側に形成された排水室部のボウル側壁部における掃除口から蓋を取り外すだけで、例えば、掃除具をボウル部内の下方領域側から掃除口に挿入し、排水トラップ部より後方側（下流側）に形成される排水室部の接続通路部付近の掃除を簡単且つ確実に行うことができる。したがって、排水トラップ部の後方側（下流側）の接続通路部付近に尿石が付着して堆積することを抑制することができ、ボウル面を洗浄して排水トラップ部から排出された接続通路部の排水の詰まりを防ぐことができる。
【００１１】
本発明において、好ましくは、上記掃除口は、上記蓋を取り外した状態で上記接続通路部内が目視可能である。
このように構成された発明においては、尿石が付着して堆積しやすい接続通路部内について、掃除口から蓋を取り外すだけで、尿石が接続通路部内に付着しているか否かを簡単な目視で確認することができる。また、尿石が付着しているのを確認した場合には、例えば、掃除具を掃除口に挿入することにより、接続通路部内を簡単に掃除することができる。さらに、接続通路部内の掃除した箇所について、掃除具を掃除口から出し入れしながら、目視で尿石が除去されたか否かを簡単に確認することもできるため、接続通路部付近に尿石が付着して堆積することを確実に抑制することができ、接続通路部の排水の詰まりを確実に防ぐことができる。
【００１２】
本発明において、好ましくは、上記排水トラップ部は、上記排水口から下方に延びる下降管路部と、この下降管路に接続されて上方に延びる上昇管路部と、を備え、上記接続通路部は、その前端が上記接続部で上記上昇管路部に接続されると共に、その後端が上記小便器外部の排出部に接続されるように延びている。
このように構成された発明においては、排水トラップ部と接続通路部との接続部では、接続通路部の前端が排水トラップ部の上昇管路部に接続され、接続通路部の後端が小便器外部の排出部に接続されていることにより、尿石が付着して堆積しやすい接続通路部内であっても、掃除口から蓋を取り外すだけで、例えば、掃除具をボウル部内の下方領域側から掃除口に挿入し、排水トラップ部の上昇管路部より後方側（下流側）に形成される接続通路部付近の掃除を簡単且つ確実に行うことができる。したがって、排水トラップ部の上昇管路部の後方側（下流側）の接続通路部付近に尿石が付着して堆積することを確実に抑制することができ、ボウル面を洗浄して排水トラップ部から排出された接続通路部の排水の詰まりを防ぐことができる。
【００１３】
本発明において、好ましくは、上記掃除口の中心は、上記排水トラップ部と上記接続通路部との接続部よりも後方側に位置する。
このように構成された発明においては、掃除口の中心が、排水トラップ部と接続通路部との接続部よりも後方側に位置しているため、尿石が付着して堆積しやすい接続通路部内、特に、接続通路部の底面について、掃除口から蓋を取り外すだけで、尿石が付着しているか否かを簡単な目視で確実に確認することができる。
【００１４】
本発明において、好ましくは、上記掃除口は、その開口断面を中心軸線に沿って上記接続通路部に向けて投影した投影面が、上記接続通路部の下流側端部に形成される。
このように構成された発明においては、掃除口の開口断面を中心軸線に沿って接続通路部に向けて投影した投影面が、接続通路部の下流側端部に形成されるため、尿石が付着して堆積しやすい接続通路部内、特に、小便器外部の排出部に接続される接続通路部の下流側端部について、掃除口から蓋を取り外すだけで、尿石が接続通路部内（特に、接続通路部の下流側端部）に付着しているか否かを簡単な目視でより確実に確認することができる。
【００１５】
本発明において、好ましくは、上記掃除口の下端縁は、上記接続通路部と上記小便器外部の排出部との接続部の高さ方向の中心位置よりも上方に位置している。
このように構成された発明においては、掃除口の下端縁が接続通路部と小便器外部の排出部との接続部の高さ方向の中心位置よりも上方に位置していることにより、接続通路部を流れる尿が掃除口に掛り難いため、掃除口付近に尿石が付着することを抑制することができる。したがって、掃除口に付着した尿石によって蓋が着脱し難くなることを防ぐことができる。
【００１６】
本発明において、好ましくは、上記掃除口の下端縁は、上記接続通路部の流路の高さ方向の中心位置よりも上方に位置している。
このように構成された発明においては、掃除口の下端縁が接続通路部の流路の高さ方向の中心位置よりも上方に位置していることにより、接続通路部を流れる尿が掃除口に掛り難いため、掃除口付近に尿石が付着することを抑制することができる。したがって、掃除口に付着した尿石によって蓋が着脱し難くなることを防ぐことができる。
【００１７】
本発明において、好ましくは、上記掃除口の下端縁は、洗浄時における上記接続通路部内の最高水位よりも上方に位置している。
このように構成された発明においては、掃除口の下端縁が洗浄時における接続通路部内の最高水位よりも上方に位置していることにより、接続通路部を流れる尿が掃除口に掛り難いため、掃除口付近に尿石が付着することを抑制することができる。したがって、掃除口に付着した尿石によって蓋が着脱し難くなることを防ぐことができる。
【００１８】
本発明において、好ましくは、更に、上記排水口、上記掃除口及びこの掃除口に取り付けられた上記蓋を覆うように上記ボウル部の下方領域に配置される目皿を有する。
このように構成された発明においては、排水口、掃除口、及びこの掃除口に取り付けられた蓋のすべてについて目皿により隠蔽することができるため、意匠性を損なうことなく、排尿が掃除口や蓋に当たって飛散することを防ぐことができる。
【発明の効果】
【００１９】
本発明の小便器によれば、小便器を取り外すことなく、排水トラップ部の下流側の排水路を簡単且つ確実に掃除することができ、排水路に尿石が付着して堆積することによる排水の詰まりを防ぐことができる。
【図面の簡単な説明】
【００２０】
【図１】本発明の第１実施形態による小便器の正面図である。
【図２】図１のＩＩ−ＩＩ線に沿って見た断面図である。
【図３】図２に示す本発明の第１実施形態による小便器の便器本体の排水室の部分を拡大した部分拡大側面断面図である。
【図４】本発明の第１実施形態による小便器の下方部分を示す部分側面断面図である。
【図５】本発明の第２実施形態による小便器の側面断面図である。
【図６】本発明の第２実施形態による小便器の平面図である。
【図７】図５に示す本発明の第２実施形態による小便器の下方領域部分を拡大した部分拡大側面断面図である。
【図８】図７に示す本発明の第２実施形態による小便器の下方領域部分における排水室及び掃除口の部分を拡大した部分拡大側面断面図である。
【発明を実施するための形態】
【００２１】
以下、図１〜図４を参照して、本発明の第１実施形態による小便器について説明する。
まず、図１は、本発明の第１実施形態による小便器の正面図であり、図２は、図１のＩＩ−ＩＩ線に沿って見た断面図である。
【００２２】
図１及び図２に示すように、本発明の第１実施形態による小便器１は、トイレ空間の床又は壁に設置される便器本体２を備えている。この便器本体２は、その正面側にボウル状に形成されたボウル部４を備えており、このボウル部４の表面は、使用者の排尿を受ける滑らかなボウル面４ａを形成している。
また、便器本体２のボウル面４ａの上方領域には、ボウル面４ａを洗浄する洗浄水を吐水する吐水装置６が設けられており、この吐水装置６の背面側には、洗浄水を供給する給水管６ａが接続されている。
さらに、便器本体２のボウル部４内の下方領域Ｒ１の底部には、ボウル面４ａを洗浄した洗浄水が排水される排水口８が形成されている。
【００２３】
つぎに、図２に示すように、便器本体２の排水口８から下方には、排水トラップ１０が形成されている。この排水トラップ１０は、排水口８から下方に延びる下降管路１２と、この下降管路１２の下端から連続して、折り返して上方に延びる上昇管路１４とを備えている。
また、排水トラップ１０内には、下水からの臭気等が便器本体２のボウル面４ａやその周囲のトイレ空間内へ侵入することを防ぐために、洗浄水が溜まっており、この洗浄水により封水されている。すなわち、排水トラップ１０内には、ボウル部４の底部に設けられた排水口８よりも下方（下流側）に封水が形成されている。より詳細には、排水トラップ１０においては、下降管路１２と上昇管路１４との連続部分、すなわち、排水トラップ１０の折り返し部分に洗浄水が溜まることにより、封水が形成されるようになっている。
【００２４】
つぎに、図３は、図２に示す本発明の第１実施形態による小便器の便器本体の排水室の部分を拡大した部分拡大側面断面図である。
図２及び図３に示すように、便器本体２の排水トラップ１０の上昇管路１４の後方側（下流側）には、ボウル面４ａを洗浄して排水口８から排水トラップ１０の下降管路１２に流れ込んで上昇管路１４から排出された洗浄水（排水）を便器本体２の背面外側の排水配管１６側へ排出させる排水室１８が形成されている。
また、図３に示すように、排水室１８の下方領域には、排水トラップ１０の上昇管路１４の後端部（下流側端部）と便器本体２の背面外側の排水配管１６とを接続する通路を形成する接続通路部２０が設けられている。
さらに、図３に示すように、排水室１８は、上方且つボウル部４側に形成される前側壁部２２を備え、この前側壁部２２は、ボウル部４内の下方領域Ｒ１と排水室１８の内部領域Ｒ２とを区画している。
【００２５】
つぎに、図３に示すように、排水室１８の接続通路部２０は、その前端部２０ａが排水トラップ１０の上昇管路１４の後端部１４ａ（下流側端部）と接続される接続部となり、排水トラップ１０の上昇管路１４から排水室１８の接続通路部２０に亘って連続的に形成されている。
また、図３に示すように、排水室１８の接続通路部２０は、その前端部２０ａから後方側に向かってほぼ水平方向に延びている。そして、排水室１８の接続通路部２０は、便器本体２の背面側の後端部２０ｂ（下流側端部）において、ほぼ円筒状の排水配管１６の前端部１６ａ（上流側端部）と接続される接続口２４を形成している。
さらに、排水配管１６は、排水室１８の接続通路部２０から排出された洗浄水を排出するために、上流側から下流側にかけて緩やかに下り傾斜しながら、ほぼ水平に下水管（図示せず）に向かって延びている。
なお、本実施形態では、排水室１８の接続通路部２０については、排水トラップ１０の上昇管路１４に一体的に形成されている形態について説明するが、樹脂等を用いて排水トラップ１０と別体に形成されてもよい。
【００２６】
つぎに、図３に示すように、ボウル部４内の下方領域Ｒ１と排水室１８の内部領域Ｒ２とを区画している排水室１８の前側壁部２２には、ブラシ等の掃除用具が挿入可能な掃除口２６が形成されている。この掃除口２６については、その円形断面の中心Ｃ１の前後方向の位置Ｐ１及び掃除口２６の下端縁２６ａの前後方向の位置Ｐ３のそれぞれが、排水トラップ１０の上昇管路１４の後端部１４ａ（下流側端部）と排水室１８の接続通路部２０の前端部２０ａとの接続部の前後方向の位置Ｐ２よりも後方側に位置している。
【００２７】
また、図３に示すように、掃除口２６の下端縁２６ａの高さ方向の位置Ｈ１は、排水配管１６の前端部１６ａが接続される排水室１８の接続通路部２０の接続口２４の上縁の高さ方向の位置Ｈ２よりも上方に位置している。また、この位置Ｈ１は、接続通路部２０の流路の高さ方向の中心位置に相当する接続口２４の開口断面Ｓ２の中心Ｃ２（排水芯）の高さ方向の位置Ｈ３よりも上方に位置している。
【００２８】
つぎに、図４は、本発明の第１実施形態による小便器の下方部分を示す部分側面断面図である。
図４に示すように、通常洗浄時に上昇する接続通路部２０内の洗浄水Ｗの最高水位ＷＬ１は、接続口２４の中心の高さ方向の位置Ｈ３よりも下側に位置しているため、掃除口２６の下端縁２６ａの高さ方向の位置Ｈ１が、接続通路部２０内の洗浄水の最高水位ＷＬ１よりも上方に位置している。
【００２９】
また、掃除口２６の開口断面Ｓ１は、ほぼ円形断面となっており、この掃除口２６にほぼ円板状の蓋２８がボウル部４側から着脱可能に取り付けられることにより、掃除口２６が閉塞されるようになっている。
さらに、蓋２８の挿入部２８ｂの外周と掃除口２６との間の隙間には、シール部材３０が設けられており、排水室１８の内部領域Ｒ２内の臭気が掃除口２６からボウル部４の下方領域Ｒ１内に侵入しないように、掃除口２６と蓋２８とがシール部材３０によって隙間なく完全に密閉されるようになっている。
なお、掃除口２６の開口断面Ｓ１の形状については、円形形状に限定されることなく、例えば、楕円形状や多角形状等であってもよく、蓋２８の横断面形状についても、掃除口２６の断面形状に応じて、この断面形状に一致させるように適宜変更可能である。また、シール部材３０を上下からの挟み込みする構造や、拡径するような構造の採用により、排水配管内の臭気や衛生害虫の侵入防止を図る構造を採用しても良い。
【００３０】
また、図２に示すように、ボウル面４ａの縦断面は、上方領域から下方領域に向かって全体的にほぼＪ字形のフック形状を形成している。また、排水口８は、ボウル面４ａ内の最低位置に形成されている。
さらに、図３に示すように、掃除口２６は、排水口８よりも上方に位置しており、排水口８の後方側の近傍に形成されるボウル面４ａの下方領域の斜面Ｆ１に対して垂直な中心軸線Ａ１に沿って貫くように形成されている。
また、図３に示すように、蓋２８が掃除口２６に取り付けられた状態では、蓋２８の表面２８ａがボウル面４ａの下方領域の斜面Ｆ１と面一となっている。
一方、蓋２８が掃除口２６から取り外された状態では、図３に示すように、掃除口２６の開口断面Ｓ１を中心軸線Ａ１に沿って接続通路部２０に向けて投影した投影面Ｓ３が、仮想線Ｌ１と仮想線Ｌ２との間の範囲内の所定領域Ｒ３に形成されている。この所定領域Ｒ３は、接続口２４の前側付近における排水室１８の接続通路部２０の底面２０ｃから接続口２４の後側付近における排水配管１６の内面１６ｂにかけて、すなわち、接続口２４に対して前後方向の所定領域Ｒ３に形成されている。これにより、掃除口２６の中心軸線Ａ１に沿った上方から見て、接続口２４の前側付近における排水室１８の接続通路部２０の底面２０ｃから接続口２４の後側付近における排水配管１６の内面１６ｂにかけての投影面Ｓ３に相当する領域Ｒ３が目視可能となっている。
これにより、蓋２８を取り外した状態で、人が小便器１の真正面に立つと、接続口２４と排水配管１６の接続部付近が目視することができ、掃除の際に尿石が除去できたかどうかを確認しながら、掃除口２６に掃除具（図示せず）を挿入することにより、清掃作業が可能となっている。
特に、尿石の溜まりやすい接続通路部２０の底面２０ｃ、排水配管１６の底面１６ｂ、及び接続口２４における接続通路部２０の後端部２０ｂと排水配管１６の前端部１６ａとの段差Ｈ（図３参照）付近の尿石について、掃除口２６から挿入した掃除具（図示せず）で確実に除去することができるようになっている。
【００３１】
つぎに、図１〜図４を参照して、本発明の第１実施形態による小便器の作用について説明する。
小便器１は、使用者がボウル部４内に排尿した後、吐水装置６が給水管６ａから供給された洗浄水をボウル面４ａに吐水する。この吐水装置６から吐水された洗浄水は、ボウル面４ａを上方から下方の排水口８に向かって洗浄しながら流れる。
そして、排水口８から排水トラップ１０の下降管路１２内に流入した洗浄水は、排水トラップ１０に溜まった尿を下流の上昇管路１４へ押し出し、この上昇管路１４から排水室１８内に流出した洗浄水が、接続通路部２０を下流側に流れ、接続口２４から尿を排水配管１６内へ排水する。
【００３２】
ここで、図３及び図４に示すように、ボウル面４ａを洗浄して排水口８から排水トラップ１０の下降管路１２に流れ込んで上昇管路１４から排出され、接続通路部２０を流れる洗浄水Ｗ（排水）の最高水位ＷＬ１は、接続口２４の中心の高さ方向の位置Ｈ３よりも下側に位置し、掃除口２６の下端縁２６ａが接続通路部２０の接続口２４の上縁位置Ｈ２よりも上方に位置しているため、洗浄水Ｗによって排水される尿が掃除口２６に掛り難くなる。したがって、掃除口２６付近に尿石が付着することを抑制することができ、掃除口２６に付着した尿石によって蓋２８が着脱し難くなることを防ぐことができる。
なお、上述した本発明の第１実施形態による小便器１については、吐水装置６から吐水される洗浄水Ｗを用いてボウル面４ａを洗浄する形態について説明してきたが、吐水装置６を設けずに、ボウル面４ａを洗浄するための洗浄水Ｗを用いない無水小便器の形態についても適用可能である。
【００３３】
つぎに、本発明の第１実施形態による小便器１の排水トラップ１０よりも下流側の接続通路部２０と排水配管１６における清掃方法について説明する。
まず、清掃者は、掃除口２６に取り付けられた状態の蓋２８を取り外し、開放された掃除口２６に掃除用具である高圧洗浄水のノズル（図示せず）を挿入し、ノズル（図示せず）の先端から高圧の洗浄水を噴出させる。
そして、高圧の洗浄水によって接続通路部２０や排水配管１６に付着した尿石を除去し、下流側に押し出し、清掃する。
また、高圧洗浄水のノズル（図示せず）を用いる代わりに、開放された掃除口２６から薬剤を投入し、尿石を溶解させてもよい。さらに、尿石を摩滅させるための回転砥石状の工具を通したりすることによって、尿石を摩滅させても良い。
このように掃除口２６から蓋２８を取り外して高圧洗浄水のノズル（図示せず）を挿入したり、薬剤を投入したりするだけで、接続通路部２０や排水配管１６を簡単且つ確実に清掃することができるので、小便器１を排水配管１６から取り外すことなく、排水トラップ１０より下流の接続通路部２０の清掃をすることができ、短時間で清掃作業を完了することができる。
したがって、高速道路の休憩所等の利用者が多い公衆トイレ空間においても、従来よりも短時間で清掃を行うことができるため、小便器１の清掃のために、利用者が小便器１を使用することができない時間を短く抑えることが可能となる。
【００３４】
上述した本発明の第１実施形態による小便器１によれば、掃除口２６の開口断面Ｓ１を中心軸線Ａ１に沿って接続通路部２０に向けて投影した投影面Ｓ３が、接続通路部２０の底面２０ｃに形成されるため、小便器１の排水室１８内を清掃する際に、小便器本体２の背面側外部の排水配管１６に対して小便器１の全体を取り外すことなく、排水トラップ１０の後方側に形成された排水室１８の前側壁部２２における掃除口２６から蓋２８を取り外すだけで、例えば、掃除具（図示せず）をボウル部４内の下方領域Ｒ１側から掃除口２６に挿入し、排水室１８の内部領域Ｒ２に挿入した掃除具（図示せず）により、排水トラップ１０より後方側（下流側）に形成される排水室１８の接続通路部２０付近の掃除を簡単且つ確実に行うことができる。したがって、排水トラップ１０の後方側（下流側）の接続通路部２０付近に尿石が付着して堆積することを抑制することができ、ボウル面４ａを洗浄して排水トラップ１０から排出された接続通路部２０の排水の詰まりを防ぐことができる。
【００３５】
また、本実施形態による小便器１によれば、尿石が付着して堆積しやすい排水トラップ１０の下流側の接続通路部２０内について、掃除口２６から蓋２８を取り外すだけで、尿石が接続通路部２０内に付着しているか否かを簡単な目視で確認することができる。また、尿石が付着しているのを確認した場合には、例えば、掃除具（図示せず）を掃除口２６に挿入することにより、接続通路部２０内を簡単に掃除することができる。さらに、接続通路部２０内の掃除した箇所について、掃除具（図示せず）を掃除口２６から出し入れしながら、目視で尿石が除去されたか否かを簡単に確認することもできるため、接続通路部２０付近に尿石が付着して堆積することを確実に抑制することができ、接続通路部２０の排水の詰まりを確実に防ぐことができる。
【００３６】
さらに、本実施形態による小便器１によれば、排水トラップ１０と接続通路部２０との接続部では、接続通路部２０の前端部２０ａが排水トラップ１０の上昇管路１４の後端部１４ａに接続され、接続通路２０の後端部２０ｂが小便器本体２の背面側外部の排水配管１６に接続されていることにより、尿石が付着して堆積しやすい排水トラップ１０の下流側の接続通路部２０内であっても、掃除口２６から蓋２８を取り外すだけで、例えば、掃除具（図示せず）をボウル部４内の下方領域Ｒ１側から掃除口２６に挿入し、排水室１８の内部領域Ｒ２に挿入した掃除具（図示せず）により、排水トラップ１０の上昇管路１４より後方側（下流側）に形成される接続通路部２０付近の掃除を簡単且つ確実に行うことができる。したがって、排水トラップ１０の上昇管路部１４の後方側（下流側）の接続通路部２０付近に尿石が付着して堆積することを確実に抑制することができ、ボウル面４ａを洗浄して排水トラップ１０から排出された接続通路部２０の排水の詰まりを防ぐことができる。
【００３７】
また、本実施形態による小便器１によれば、掃除口２６の中心Ｃ１の前後方向の位置Ｐ１が、排水トラップ１０の上昇管路１４の後端部１４ａと排水室１８の接続通路部２０の前端部２０ａとの接続部の前後方向の位置Ｐ２よりも後方側に位置しているため、尿石が付着して堆積しやすい接続通路部２０内、特に、接続通路部２０の底面２０ｃについて、掃除口２６から蓋２８を取り外すだけで、尿石が付着しているか否かを簡単な目視で確実に確認することができる。
【００３８】
さらに、本実施形態による小便器１によれば、掃除口２６の開口断面Ｓ１を中心軸線Ａ１に沿って接続通路部２０に向けて投影した投影面Ｓ３が、接続通路部２０の下流側端部の接続口２４付近に形成されるため、尿石が付着して堆積しやすい接続通路部２０内、特に、小便器本体２の背面側外部の排水配管１６に接続される接続通路部２０の下流側端部の接続口２４付近について、掃除口２６から蓋２８を取り外すだけで、尿石が接続通路部２０内における、特に、接続通路部２０の下流側端部の接続口２４付近に付着しているか否かを簡単な目視でより確実に確認することができる。
【００３９】
また、本実施形態による小便器１によれば、掃除口２６の下端縁２６ａの高さ方向の位置Ｈ１が、接続通路部２０と小便器本体２の背面側外部の排水配管１６との接続口２４の開口断面Ｓ２の中心Ｃ２の高さ方向の位置Ｈ３よりも上方に位置していることにより、接続通路部２０を流れる尿が掃除口２６に掛り難いため、掃除口２６付近に尿石が付着することを抑制することができる。したがって、掃除口２６に付着した尿石によって蓋２８が着脱し難くなることを防ぐことができる。
【００４０】
さらに、本実施形態による小便器１によれば、掃除口２６の下端縁２６ａの高さ方向の位置Ｈ１が、接続口２４の開口断面Ｓ２の中心（排水芯）の高さ方向の位置Ｈ３に相当する接続通路部２０の流路の高さ方向の中心位置よりも上方に位置していることにより、接続通路部２０を流れる尿が掃除口２６に掛り難いため、掃除口２６付近に尿石が付着することを抑制することができる。したがって、掃除口２６に付着した尿石によって蓋が着脱し難くなることを防ぐことができる。
【００４１】
また、本実施形態による小便器１によれば、掃除口２６の下端縁２６ａの高さ方向の位置Ｈ１が洗浄時における接続通路部２０内の最高水位ＷＬ１よりも上方に位置していることにより、接続通路部２０を流れる尿が掃除口２６に掛り難いため、掃除口２６付近に尿石が付着することを抑制することができる。したがって、掃除口２６に付着した尿石によって蓋が着脱し難くなることを防ぐことができる。
【００４２】
さらに、本実施形態による小便器１によれば、ボウル面４ａに設けられた掃除口２４から蓋２８を取り外すことで、比較的尿石が付着して堆積し易い排水トラップ１０の下流側の接続通路部２０と排水配管１６との接続部である接続口２４付近について、小便器１を取り外すことなく簡単な作業により尿石を確実に除去することができる。
また、本実施形態による小便器１によれば、ブラシ等を用いた通常の清掃の対象とならない接続通路部２０と排水配管１６との接続部分の掃除を行うための配管等を追加する必要がないため、小便器１に設けられる配管構造が複雑になることを防ぐことができる。
【００４３】
つぎに、図５〜図８を参照して、本発明の第２実施形態による小便器について説明する。
図５は、本発明の第２実施形態による小便器の側面断面図であり、図６は、本発明の第２実施形態による小便器の平面図である。また、図７は、図５に示す本発明の第２実施形態による小便器の下方領域部分を拡大した部分拡大側面断面図であり、図８は、図７に示す本発明の第２実施形態による小便器の下方領域部分における排水室及び掃除口の部分を拡大した部分拡大側面断面図である。
まず、図５〜図８に示す本発明の第２実施形態による小便器１００においては、小便器本体１０２のボウル部１０４内の下方領域Ｒ１０１に配置された目皿１３２を備えており、この目皿１３２が、ボウル部１０４の底部に形成される排水口１０８、掃除口１２６及びこの掃除口２６に取り付けられた状態の蓋１２８を覆うようになっている点で、上述した本発明の第１実施形態による小便器１の構成とは異なっている。
また、図５〜図８に示す本発明の第２実施形態による小便器１００では、目皿１３２以外の構成については、上述した本発明の第１実施形態による小便器１と同様な構成であるため、これらの同様な構成については、同様な符号を付し、これらの説明については省略する。
【００４４】
図５〜図８に示すように、ボウル部１０４のボウル面１０４ａの下方領域には、下側に凹むように形成される凹部１３４が設けられており、この凹部１３２内に目皿１３２が上方から凹部１３４内に着脱可能に取り付けられるようになっている。
また、図５〜図８に示すように、凹部１３４の底面１３４ａには、排水口１０８が形成され、凹部１３４における排水口１０８よりも後方側の斜壁面１３４ｂには、掃除口１２６がその中心Ｃ１０１の中心軸線Ａ１０１に沿って貫くように形成されている。
さらに、図６に示すように、目皿１３２の外縁部１３２と凹部１３４の上縁部１３４ａは、上方から見て概ね楕円形状に形成されている。また、図６及び図７に示すように、目皿１３２が凹部１３４内に取り付けられた状態では、排水口１０８、掃除口１２６、及びこの掃除口１２６に取り付けられた蓋１２８のすべてについて目皿１３２により隠蔽することができるようになっているが、目皿１３２の外縁部１３２と凹部１３４の上縁部１３４ａとの間には、ほぼ全周に亘って隙間１３６が形成されている。
また、図７に示すように、凹部１３４の底面１３４ａの周縁部の一部には、上方に突出する複数の突起１３８が凹部１３４の周方向に間隔を置いて形成されており、目皿１３２が凹部１３４内に取り付けられた状態では、これらの突起１３８の上端１３８ａが、これと上下方向に対向するように目皿１３２の下面１３２ｂの周縁部に設けられた複数の当接部１３２ｃと当接することにより、凹部１３４の底面１３４ａと目皿１３２の下面１３２ｂとの間に空間領域Ｒ１０１ａが形成されるようになっている。これにより、ボウル部１０４内に排出された尿や吐水装置１０６から吐水された洗浄水は、ボウル部１０４のボウル面１０４ａに沿って流下し、隙間１３６から凹部１３４の空間領域Ｒ１０１ａ内に流入し、その後、排水口１０８から排水トラップ１１０の下降管路１１２内に流れ込むようになっている。
【００４５】
上述した本発明の第２実施形態による小便器１００によれば、掃除口１２６の開口断面Ｓ１０１を中心軸線Ａ１０１に沿って接続通路部１２０に向けて投影した投影面Ｓ１０３が、接続通路部１２０の底面１２０ｃに形成されるため、小便器１０１の排水室１１８内を清掃する際に、小便器本体１０２の背面側外部の排水配管１１６に対して小便器１００の全体を取り外すことなく、目皿１３２を取り外した後に排水トラップ１１０の後方側に形成された排水室１１８の前側壁部１２２における掃除口１２６から蓋２８を取り外すだけで、例えば、掃除具（図示せず）をボウル部１０４内の下方領域Ｒ１０１（空間領域Ｒ１０１ａ）側から掃除口１２６に挿入し、排水室１１８の内部領域Ｒ１０２に挿入した掃除具（図示せず）により、排水トラップ１１０より後方側（下流側）に形成される排水室１１８の接続通路部１２０付近の掃除を簡単且つ確実に行うことができる。したがって、排水トラップ１１０の後方側（下流側）の接続通路部１２０付近に尿石が付着して堆積することを抑制することができ、ボウル面１０４ａを洗浄して排水トラップ１０から排出された接続通路部１２０の排水の詰まりを防ぐことができる。
【００４６】
また、本実施形態による小便器１００によれば、尿石が付着して堆積しやすい排水トラップ１１０の下流側の接続通路部１２０内について、目皿１３２を取り外した後に掃除口１２６から蓋１２８を取り外すだけで、尿石が接続通路部１２０内に付着しているか否かを簡単な目視で確認することができる。また、尿石が付着しているのを確認した場合には、例えば、掃除具（図示せず）を掃除口１２６に挿入することにより、接続通路部１２０内を簡単に掃除することができる。さらに、接続通路部１２０内の掃除した箇所について、掃除具（図示せず）を掃除口１２６から出し入れしながら、目視で尿石が除去されたか否かを簡単に確認することもできるため、接続通路部１２０付近に尿石が付着して堆積することを確実に抑制することができ、接続通路部１２０の排水の詰まりを確実に防ぐことができる。
【００４７】
さらに、本実施形態による小便器１００によれば、排水トラップ１１０と接続通路部１２０との接続部では、接続通路部１２０の前端部１２０ａが排水トラップ１１０の上昇管路１１４の後端部１１４ａに接続され、接続通路１２０の後端部１２０ｂが小便器本体１０２の背面側外部の排水配管１１６に接続されていることにより、尿石が付着して堆積しやすい排水トラップ１１０の下流側の接続通路部１２０内であっても、目皿１３２を取り外した後に掃除口１２６から蓋１２８を取り外すだけで、例えば、掃除具（図示せず）をボウル部１０４内の下方領域Ｒ１０１側から掃除口１２６に挿入し、排水室１１８の内部領域Ｒ１０２に挿入した掃除具（図示せず）により、排水トラップ１１０の上昇管路１１４より後方側（下流側）に形成される接続通路部１２０付近の掃除を簡単且つ確実に行うことができる。したがって、排水トラップ１１０の上昇管路部１１４の後方側（下流側）の接続通路部１２０付近に尿石が付着して堆積することを確実に抑制することができ、ボウル面１０４ａを洗浄して排水トラップ１１０から排出された接続通路部１２０の排水の詰まりを防ぐことができる。
【００４８】
また、本実施形態による小便器１００によれば、掃除口１２６の中心Ｃ１０１の前後方向の位置Ｐ１０１が、排水トラップ１１０の上昇管路１１４の後端部１１４ａと排水室１１８の接続通路部１２０の前端部１２０ａとの接続部の前後方向の位置Ｐ１０２よりも後方側に位置しているため、尿石が付着して堆積しやすい接続通路部１２０内、特に、接続通路部１２０の底面１２０ｃについて、目皿１３２を取り外した後に掃除口１２６から蓋１２８を取り外すだけで、尿石が付着しているか否かを簡単な目視で確実に確認することができる。
【００４９】
さらに、本実施形態による小便器１００によれば、掃除口１２６の開口断面Ｓ１０１を中心軸線Ａ１０１に沿って接続通路部１２０に向けて投影した投影面Ｓ１０３が、接続通路部１２０の下流側端部の接続口１２４付近に形成されるため、尿石が付着して堆積しやすい接続通路部１２０内、特に、小便器本体１０２の背面側外部の排水配管１１６に接続される接続通路部１２０の下流側端部の接続口１２４付近について、目皿１３２を取り外した後に掃除口１２６から蓋１２８を取り外すだけで、尿石が接続通路部１２０内における、特に、接続通路部１２０の下流側端部の接続口１２４付近に付着しているか否かを簡単な目視でより確実に確認することができる。
【００５０】
また、本実施形態による小便器１００によれば、掃除口１２６の下端縁１２６ａの高さ方向の位置Ｈ１０１が、接続口１２４の上縁の高さ方向の位置Ｈ１０２とほぼ同一の高さ位置にあり、接続通路部１２０と小便器本体１０２の背面側外部の排水配管１１６との接続口１２４の開口断面Ｓ１０２の中心Ｃ１０２の高さ方向の位置Ｈ１０３よりも上方に位置していることにより、接続通路部１２０を流れる尿が掃除口１２６に掛り難いため、掃除口１２６付近に尿石が付着することを抑制することができる。したがって、掃除口２６に付着した尿石によって蓋１２８が着脱し難くなることを防ぐことができる。
【００５１】
さらに、本実施形態による小便器１００によれば、掃除口１２６の下端縁１２６ａの高さ方向の位置Ｈ１０１が、接続口１２４の開口断面Ｓ１０２の中心（排水芯）の高さ方向の位置Ｈ１０３に相当する接続通路部１２０の流路の高さ方向の中心位置よりも上方に位置していることにより、接続通路部１２０を流れる尿が掃除口１２６に掛り難いため、掃除口１２６付近に尿石が付着することを抑制することができる。したがって、掃除口１２６に付着した尿石によって蓋が着脱し難くなることを防ぐことができる。
【００５２】
また、本実施形態による小便器１００によれば、掃除口１２６の下端縁１２６ａの高さ方向の位置Ｈ１０１が洗浄時における接続通路部１２０内の最高水位ＷＬ１よりも上方に位置していることにより、接続通路部１２０を流れる尿が掃除口１２６に掛り難いため、掃除口１２６付近に尿石が付着することを抑制することができる。したがって、掃除口１２６に付着した尿石によって蓋が着脱し難くなることを防ぐことができる。
【００５３】
また、本実施形態による小便器１００によれば、排水口１０８、掃除口１２６、及びこの掃除口１２６に取り付けられた蓋１２８のすべてについて目皿１３２により隠蔽することができるため、意匠性を損なうことなく、排尿が掃除口１２６や蓋１２８に当たって飛散することを防ぐことができる。
【００５４】
さらに、本実施形態による小便器１００によれば、ボウル面１０４ａに設けられた掃除口１２４から蓋１２８を取り外すことで、比較的尿石が付着して堆積し易い排水トラップ１１０の下流側の接続管路部１２０と排水配管１１６との接続部である接続口１２４付近について、小便器１０１を取り外すことなく簡単な作業により尿石を確実に除去することができる。
また、本実施形態による小便器１００によれば、ブラシ等を用いた通常の清掃の対象とならない接続管路部１２０と排水配管１１６との接続部分の掃除を行うための配管等を追加する必要がないため、小便器１００に設けられる配管構造が複雑になることを防ぐことができる。
【符号の説明】
【００５５】
１，１００  小便器
２，１０２  便器本体
４，１０４  ボウル部
４ａ，１０４ａ  ボウル部のボウル面
６，１０６  吐水装置
６ａ，１０６ａ  給水管
８，１０８  排水口
１０，１１０  排水トラップ（排水トラップ部）
１２，１１２  下降管路（下降管路部）
１４，１１４  上昇管路（上昇管路部）
１４ａ，１１４ａ  上昇管路の後端部
１６，１１６  排水配管（小便器外部の排出部）
１６ａ，１１６ａ  排水配管の前端部
１６ｂ，１１６ｂ  排水配管の内面
１８，１１８  排水室（排水室部）
２０，１２０  排水室の接続通路部
２０ａ，１２０ａ  排水室の接続通路部の前端部（排水トラップ部と接続通路部との接続部）
２０ｂ，１２０ｂ  排水室の接続通路部の後端部
２０ｃ，１２０ｃ  排水室の接続通路部の底面
２２，１２２  排水室の前側壁部（ボウル側壁部）
２４，１２４  接続口
２６，１２６  掃除口
２６ａ，１２６ａ  掃除口の下端縁
２８，１２８  蓋
２８ａ，１２８ａ  蓋の表面
２８ｂ，１２８ｂ  蓋の挿入部
３０，１３０  シール部材
１３２  目皿
１３２ａ  目皿の外縁部
１３２ｂ  目皿の下面
１３２ｃ  目皿の当接部
１３４  凹部
１３４ａ  凹部の底面
１３４ｂ  凹部の後方側の斜壁面
１３４ｃ  凹部の上縁部
１３６    隙間
１３８    突起
１３８ａ  突起の上端
Ａ１，Ａ１０１  掃除口の開口断面の中心軸線
Ｃ１，Ｃ１０１  掃除口の中心
Ｃ２，Ｃ１０２  接続口の中心
Ｆ１  ボウル面の斜面
Ｈ  段差
Ｈ１，Ｈ１０１  掃除口の下端縁の高さ方向の位置
Ｈ２，Ｈ１０２  接続口の上縁の高さ方向の位置
Ｈ３，Ｈ１０３  接続口の開口断面の中心（排水芯）の高さ方向の位置（接続通路部の流路の高さ方向の中心位置）
Ｌ１，Ｌ１０１  掃除口の開口断面から中心軸線に沿って接続通路に向けて投影した投影面までの仮想線
Ｌ２，Ｌ１０２  掃除口の開口断面から中心軸線に沿って接続通路に向けて投影した投影面までの仮想線
Ｐ１  掃除口の中心の前後方向の位置
Ｐ２  排水トラップの上昇管路の後端部と排水室の接続通路部の前端部との接続部の前後方向の位置
Ｐ３  掃除口の下端縁の前後方向の位置
Ｒ１，Ｒ１０１  ボウル部内の下方領域
Ｒ２，Ｒ１０２  排水室の内部領域
Ｒ３，Ｒ１０３  排水室の接続通路部の接続口の前後方向の所定領域
Ｒ１０１ａ  空間領域
Ｓ１，Ｓ１０２  掃除口の開口断面
Ｓ２，Ｓ１０２  接続口の開口断面
Ｓ３，Ｓ１０３  投影面
ＷＬ１  洗浄水の最高水位
【図１】
2015083770.tif 000003
【図２】
2015083770.tif 000004
【図３】
2015083770.tif 000005
【図４】
2015083770.tif 000006
【図５】
2015083770.tif 000007
【図６】
2015083770.tif 000008
【図７】
2015083770.tif 000009
【図８】
2015083770.tif 000010